(57)【要約】【課題】地盤中に構築された支持構造体に支持された建物に設けられた、土間コンクリート床スラブの沈下を抑制する。【解決手段】地盤中に構築され、建物を支持する第１支持構造体と、前記地盤中に構築され、前記地盤上に設けられた土間コンクリート床スラブを支持する柱状の第２支持構造体と、を有する建物の基礎構造。【選択図】図１
2015168944.tif 000002
【特許請求の範囲】
【請求項１】
地盤中に構築され、建物を支持する第１支持構造体と、
前記地盤中に構築され、前記地盤上に設けられた土間コンクリート床スラブを支持する柱状の第２支持構造体と、
を有する建物の基礎構造。
【請求項２】
前記第１支持構造体及び前記第２支持構造体は、地盤改良体である請求項１に記載の建物の基礎構造。
【請求項３】
前記第２支持構造体は、前記土間コンクリート床スラブに対して均等に配置されている請求項１又は２に記載の建物の基礎構造。
【発明の詳細な説明】
【技術分野】
【０００１】
本発明は、土間コンクリート床スラブを有する建物の基礎構造に関する。
【背景技術】
【０００２】
地盤上に建物を建てる基礎として杭基礎が挙げられる。杭基礎では、軟弱地盤上への建物の建設において、軟弱地盤中に設けた杭によって建物を支持する。例えば、特許文献１には、杭本体の外周に多孔質の透水層が形成された液状化対策支持杭が開示されている。
【０００３】
しかし、このような杭によって支持された建物において、この建物の最下層の床部が、地盤に直接支持される土間コンクリート床スラブである場合、地震により地盤が液状化した際に床部が沈下してしまうことが懸念される。
【先行技術文献】
【特許文献】
【０００４】
【特許文献１】特開平９−３１６８７４号公報
【発明の概要】
【発明が解決しようとする課題】
【０００５】
本発明は係る事実を考慮し、地盤中に構築された支持構造体に支持された建物に設けられた、土間コンクリート床スラブの沈下を抑制することを課題とする。
【課題を解決するための手段】
【０００６】
第１態様の発明は、地盤中に構築され、建物を支持する第１支持構造体と、前記地盤中に構築され、前記地盤上に設けられた土間コンクリート床スラブを支持する柱状の第２支持構造体と、を有する建物の基礎構造である。
【０００７】
第１態様の発明では、土間コンクリート床スラブを第２支持構造体で支持することによって、地盤上に設けられた土間コンクリート床スラブが、地盤の液状化等により沈下するのを抑制することができる。
【０００８】
第２態様の発明は、第１態様の建物の基礎構造において、前記第１支持構造体及び前記第２支持構造体は、地盤改良体である。
【０００９】
第２態様の発明では、第１支持構造体と第２支持構造体が同じ地盤改良体なので、第１支持構造体の施工時に第２支持構造体を施工すれば、効率よく第２支持構造体を施工することができる。
【００１０】
第３態様の発明は、第１又は第２態様の建物の基礎構造において、前記第２支持構造体は、前記土間コンクリート床スラブに対して均等に配置されている。
【００１１】
第３態様の発明では、第２支持構造体を、土間コンクリート床スラブに対して均等に配置することにより、地盤の液状化等による土間コンクリート床スラブの不同沈下を抑制することができる。
【発明の効果】
【００１２】
本発明は上記構成としたので、地盤中に構築された支持構造体に支持された建物に設けられた、土間コンクリート床スラブの沈下を抑制することができる。
【図面の簡単な説明】
【００１３】
【図１】本発明の実施形態に係る建物を示す立面図である。
【図２】本発明の実施形態に係る建物の基礎構造を示す正面図である。
【図３】本発明の実施形態に係る地盤改良体の配置を示す平面図である。
【発明を実施するための形態】
【００１４】
図を参照しながら、本発明の実施形態を説明する。まず、本発明の実施形態に係る建物の基礎構造について説明する。
【００１５】
図１の立面図には、本実施形態の建物の基礎構造１０が示されている。建物の基礎構造１０は、第１支持構造体としての柱状の地盤改良体１２と、第２支持構造体としての柱状の地盤改良体１４を有して構成されている。地盤改良体１２、１４は、地盤としての軟弱地盤１６中に構築されており、下端部が軟弱地盤１６の下方に形成された支持層（不図示）に達している。
【００１６】
図１、及び図２の正面図に示すように、地盤改良体１２上には、鉄骨造の建物１８の躯体柱２０がフーチング２４を介して建てられており、これにより、地盤改良体１２は建物１８を支持している。建物１８の１階の床部は、軟弱地盤１６に直接支持されるようにして軟弱地盤１６上に設けられた土間コンクリート床スラブ２２によって構成されており、この土間コンクリート床スラブ２２は、地盤改良体１２、１４によってフーチング２４、２６を介して支持されている。
【００１７】
図１、及び図３の平面図に示すように、地盤改良体１４は、土間コンクリート床スラブ２２の下面に対して平面視にて略均等に配置されている。ここで、地盤改良体１４が土間コンクリート床スラブ２２の下面に対して平面視にて略均等に配置されているとは、各地盤改良体１４が負担する土間コンクリート床スラブ２２の荷重が略等しくなるように、地盤改良体１４を点在させて配置することを意味する。例えば、図３に示す領域Ａ１、Ａ２、Ａ３のように、各地盤改良体１４に割り当てられる土間コンクリート床スラブ２２の下面の面積が略等しくなるように、地盤改良体１４を点在させて配置する。なお、地盤改良体１２が配置されている位置では、この地盤改良体１２に、土間コンクリート床スラブ２２を支持する役割りを兼ねさせることにより、地盤改良体１４は設けていない。
【００１８】
次に、本発明の実施形態に係る建物の基礎構造の作用と効果について説明する。
【００１９】
本実施形態の建物の基礎構造では、図２に示すように、土間コンクリート床スラブ２２を地盤改良体１４で支持することによって、軟弱地盤１６上に設けられた土間コンクリート床スラブ２２が、軟弱地盤１６の液状化等により沈下するのを抑制することができる。
【００２０】
また、これにより、土間コンクリート床スラブ２２の沈下を抑制するために、土間コンクリート床スラブ２２を厚くしなくてよい。また、建物１８の１階の床部を、基礎梁を必要とする構造床スラブにしなくてよい。すなわち、建物１８の１階の床部の施工手間を軽減することができる。
【００２１】
さらに、本実施形態の建物の基礎構造１０において、土間コンクリート床スラブ２２から作用する長期荷重を、液状化していない軟弱地盤１６によって支持させ（地盤改良体１４による支持は期待せずに）、軟弱地盤１６が液状化した際に土間コンクリート床スラブ２２が沈下しないだけの支持力を地盤改良体１４に持たせるように設計を行えば、土間コンクリート床スラブ２２及び地盤改良体１４の負担荷重を小さくする（例えば、土間コンクリート床スラブ２２の厚さを薄くしたり配筋を少なくしたり、地盤改良体１４の断面を小さくしたりする）ことができ、これによって建物の基礎構造１０のコストダウンを図ることができる。
【００２２】
また、本実施形態の建物の基礎構造１０では、建物１８を支持する第１支持構造体と、土間コンクリート床スラブ２２を支持する第２支持構造体が同じ地盤改良体（地盤改良体１２、１４）であり、同じ施工方法で構築することができるので、地盤改良体１２の施工時に地盤改良体１４を施工すれば、厚い土間コンクリート床スラブや、基礎梁を必要とする構造床スラブを構築するよりも、短期間で効率よく建物の基礎構造１０を構築することができる。
【００２３】
さらに、本実施形態の建物の基礎構造１０では、地盤改良体１４を、土間コンクリート床スラブ２２の下面に対して平面視にて略均等に配置することにより、軟弱地盤１６の液状化等による土間コンクリート床スラブ２２の不同沈下を抑制することができる。
【００２４】
以上、本発明の実施形態について説明した。
【００２５】
なお、本実施形態では、第１及び第２支持構造体としての地盤改良体１２、１４の下端部が支持層に達している例を示したが、第１支持構造体は、軟弱地盤１６が液状化した際に建物１８を支持することができ、第２支持構造体は、軟弱地盤１６が液状化した際に土間コンクリート床スラブ２２を支持することができれば、第１及び第２支持構造体は、下端部が支持層まで達していても達していなくてもよい。
【００２６】
また、本実施形態では、第１及び第２支持構造体を、地盤改良体１２、１４とした例を示したが、第１支持構造体は、軟弱地盤１６が液状化した際に建物１８を支持できる支持構造体であればよく、第２支持構造体は、軟弱地盤１６が液状化した際に土間コンクリート床スラブ２２を支持できるものであればよい。例えば、第１及び第２支持構造体は、杭であってもよい。この場合、杭は、鉄筋コンクリート杭、プレストレスト高強度コンクリート杭、鋼管杭等のさまざまな杭を用いることができる。
【００２７】
さらに、本実施形態では、第２支持構造体としての地盤改良体１４を、土間コンクリート床スラブ２２の下面に対して平面視にて略均等に配置した例を示したが、第２支持構造体は、土間コンクリート床スラブ２２の下面に対して必ずしも略均等に配置しなくてもよい。第２支持構造体を、土間コンクリート床スラブ２２の下面に対して略均等に配置しない場合においては、土間コンクリート床スラブ２２の配筋、第２支持構造体の強度や断面の大きさ等の設定によって、軟弱地盤１６の液状化等に起因して土間コンクリート床スラブ２２が沈下したり、不同沈下したりするのを、第２支持構造体により抑制することができる。
【００２８】
また、本実施形態で示した建物１８は、地下階を有する建物であってもよい。この場合、建物の地下階最下層の床部を構成する土間コンクリート床スラブを地盤改良体１４によって支持させる。
【００２９】
さらに、本実施形態では、建物１８を鉄骨造の建物とした例を示したが、建物１８は、鉄筋コンクリート造、鉄骨造、鉄骨鉄筋コンクリート造、ＣＦＴ造（Concrete-Filled Steel Tube：充填形鋼管コンクリート構造）、それらの混合構造など、さまざまな構造や規模の建物であってもよい。
【００３０】
以上、本発明の実施形態について説明したが、本発明はこうした実施形態に何等限定されるものでなく、本発明の要旨を逸脱しない範囲において、種々なる態様で実施し得ることは勿論である。
【符号の説明】
【００３１】
１０  建物の基礎構造
１２  地盤改良体（第１支持構造体）
１４  地盤改良体（第２支持構造体）
１６  軟弱地盤（地盤）
１８  建物
２２  土間コンクリート床スラブ
【図１】
2015168944.tif 000003
【図２】
2015168944.tif 000004
【図３】
2015168944.tif 000005